(57)【要約】【課題】電流ノイズ発生を防止し、更には、発光部から発する光の次元を高めることができる照明装置を提供し、また、照明装置の電流ノイズの発生が防止されて波長も整えられ、結果的に発生エネルギーの高度化が図れる。【解決手段】照明装置Ａは発光部１と該発光部１に接続された制御部２と該制御部２に接続された接続端子部３（コンセント部）とよりなる照明装置であって、発光部１から発する光の次元を高めるための波動エネルギー触媒加工部Ｋ（波動エネルギー触媒物質  Ｋ１、ノイズ消去装置Ｋ２）を設けたものである。【選択図】図１
2014225451.tif 000002
【特許請求の範囲】
【請求項１】
発光部と該発光部に接続された制御部と該制御部に接続された接続端子部とよりなる照明装置であって、発光部から発する光の次元を高めるための波動エネルギー触媒加工部を設けたことを特徴とする照明装置。
【請求項２】
波動エネルギー触媒加工部が接続端子部に設けられていることを特徴とする請求項１記載の照明装置。
【請求項３】
波動エネルギー触媒加工部が制御部に設けられていることを特徴とする請求項１記載の照明装置。
【請求項４】
接続端子部に設けられている波動エネルギー触媒加工部は、接続端子部に備わっている栓刃に塗布形成した波動エネルギー触媒物質であることを特徴とする請求項２記載の照明装置。
【請求項５】
波動エネルギー触媒物質が、合成樹脂に無機質粉末を加えたものであり、無機質粉末がトルマリン粉末、蛇紋石粉末、貴宝石粉末、アモルファス粉、チタン粉末、ラピスラズリー粉末から選ばれた１つ以上を含む粉末であることを特徴とする請求項４記載の照明装置。
【請求項６】
制御部に設けられている波動エネルギー触媒加工部が、ノイズ消去装置であって、該ノイズ消去装置が、表面に螺旋溝が形成された第一導体と、螺旋溝に噛み合わない状態で第一導体の外側に配置されたコイル状の第二導体と、該第二導体の外側に配置された円筒状金属シートと、該円筒状金属シートの外側に配置された被覆部材と、円筒状金属シートと第一導体との間隙に充填された、被覆部材と同一材料の充填部材と、を備えるものであることを特徴とする請求項３記載の照明装置。
【請求項７】
矩形で一定厚みを有する矩形の回動基板部とそれを支える基台部とよりなり、回動基板部には、矩形の有機ＥＬ発光部が設けられ、また基台部には有機ＥＬ発光部に接続された制御部が設けられ、該制御部に波動エネルギー触媒加工部が設けられ、基台部は両端に上方に伸びる一対の支持柱を有しており、該支持柱の間に回動基板部が支軸により回動自在に取り付けられ、基台部の一対の支持柱間には一本の停止棒が取り付けられ、停止棒の取り付けられる位置は、回動基板部の支軸より斜め下後方に、一定距離、離れた位置であることを特徴とする照明装置。
【発明の詳細な説明】
【技術分野】
【０００１】  本発明は、物体をライトアップするための照明装置に関し、更に詳しくは、物体をライトアップし、発光部から発する光の質、次元を高めるための波動エネルギー触媒加工部を設けた照明装置に関する。
【背景技術】
【０００２】  従来、例えば、ＬＥＤ、有機ＥＬ等を使った照明器具が知られている（特許文献１，及び特許文献２参照）。
中でも家庭用として、或いは美容用としては比較的小型なものが多く使われており、照明する際、顔や身体に直接光を当てる場合には光の質が身体に影響を与える。
このような照明で光を照射しても、例えば、ノイズの大きい電流を使った照明具が発する光は必ずしも眼等に良いものではない。
照射した光も僅かにノイズの影響が作用し、顧客によっては視覚的に不快感を覚える場合があった。
また、照明装置が発する電磁波の影響から身体に悪影響を与える報告もなされている。
【先行技術文献】
【特許文献】
【０００３】
【特許文献１】特開２００７−３３０６８５号公報
【特許文献２】実用新案登録第３０９４５０４号公報
【発明の概要】
【発明が解決しようとする課題】
【０００４】  本発明の目的は、かかる技術背景をもとになされたもので、電流ノイズ発生を防止し、発光部から発する光の質すなわち、次元を高めることができる照明装置を提供することである。
【課題を解決するための手段】
【０００５】  すなわち、本発明は、（１）、発光部と該発光部に接続された制御部と該制御部に接続された接続端子部（コンセント部）とよりなる照明装置であって、発光部から発する光の次元を高めるための波動エネルギー触媒加工部を設けた照明装置に存する。【０００６】  また、本発明は、（２）、波動エネルギー触媒加工部が接続端子部に設けられている上記（１）記載の照明装置に存する。【０００７】  また、本発明は、（３）、波動エネルギー触媒加工部が制御部に設けられている上記（１）記載の照明装置に存する。【０００８】  また、本発明は、（４）、接続端子部に設けられている波動エネルギー触媒加工部は、接続端子部に備わっている栓刃に塗布形成した波動エネルギー触媒物質である上記（２）記載の照明装置に存する。【０００９】  また、本発明は、（５）、波動エネルギー触媒物質が、合成樹脂に無機質粉末を加えたものであり、無機質粉末がトルマリン粉末、蛇紋石粉末、貴宝石粉末、アモルファス粉、チタン粉末、ラピスラズリー粉末から選ばれた１つ以上を含む粉末である上記（４）記載の照明装置に存する。【００１０】  また、本発明は、（６）、制御部に設けられている波動エネルギー触媒加工部が、ノイズ消去装置であって、該ノイズ消去装置が、表面に螺旋溝が形成された第一導体と、螺旋溝に噛み合わない状態で第一導体の外側に配置されたコイル状の第二導体と、該第二導体の外側に配置された円筒状金属シートと、該円筒状金属シートの外側に配置された被覆部材と、円筒状金属シートと第一導体との間隙に充填された、被覆部材と同一材の充填部材と、を備えるものである上記（３）記載の照明装置に存する。【００１１】  また、本発明は、（７）、矩形で一定厚みを有する矩形の回動基板部とそれを支える基台部とよりなり、回動基板部には、矩形の有機ＥＬ発光部が設けられ、また基台部には有機ＥＬ発光部に接続された制御部が設けられ、該制御部に波動エネルギー触媒加工部が設けられ、基台部は両端に上方に伸びる一対の支持柱を有しており、該支持柱の間に回動基板部が支軸により回動自在に取り付けられ、基台部の一対の支持柱間には一本の停止棒が取り付けられ、停止棒の取り付けられる位置は、回動基板部の支軸より斜め下後方に、一定距離、離れた位置である照明装置に存する。【００１２】  本発明はこの目的に沿ったものであれば、上記（１）〜（７）の中から選ばれた２つ以上を組み合わせた構成も採用可能である。
【発明の効果】
【００１３】  本発明は、発光部と該発光部に接続された制御部と該制御部に接続された接続端子部（コンセント部）とよりなる照明装置であって、発光部から発する光の次元を高めるための波動エネルギー触媒加工部を設けたので、照明装置の電流ノイズの発生が防止されて波長も整えられ、質の高い、すなわち次元の高い光を得られ、結果的に発生エネルギーの高度化が図れる。
その結果、本発明の照明装置から発せられる光は、人体に対する生理的作用に好影響を与え、また、リラクゼーション効果をもたらす。【００１４】  また、接続端子部に設けられている波動エネルギー触媒加工部は、接続端子部に備わっている栓刃に塗布形成した波動エネルギー触媒物質であることにより、波動エネルギー触媒加工部を設けることが、極めて容易である。【００１５】  また、波動エネルギー触媒加工部が制御部に設けられ、制御部に設けられている波動エネルギー触媒加工部が、ノイズ消去装置であり、該ノイズ消去装置が、表面に螺旋溝が形成された第一導体と、螺旋溝に噛み合わない状態で第一導体の外側に配置されたコイル状の第二導体と、該第二導体の外側に配置された円筒状金属シートと、該円筒状金属シートの外側に配置された被覆部材と、円筒状金属シートと第一導体との間隙に充填された、被覆部材と同一材料の充填部材と、を備えるものであることにより、照明装置の電流ノイズの発生が確実に防止される。【００１６】  また、矩形で一定厚みを有する矩形の回動基板部とそれを支える基台部とよりなり、回動基板部には、矩形の有機ＥＬ発光部が設けられ、また基台部には有機ＥＬ発光部に接続された制御部が設けられ、該制御部に波動エネルギー触媒加工部が設けられ、基台部は両端に上方に伸びる一対の支持柱を有しており、該支持柱の間に回動基板部が支軸により回動自在に取り付けられ、基台部の一対の支持柱間には一本の停止棒が取り付けられ、停止棒の取り付けられる位置は、回動基板部の支軸より斜め下後方に、一定距離、離れた位置であるので、少なくとも回動基板部の回動制限が簡単な構造となる。
【図面の簡単な説明】
【００１７】
【図１】図１は、波動エネルギー触媒加工部（接続端子部）を設ける部分を説明する図である。
【図２】図２は、波動エネルギー触媒加工部（制御部）を設ける部分を説明する図である。
【図３】図３は、有機ＥＬ発光部を備えた照明装置を示す斜視図である。
【図４】図４は、有機ＥＬ発光部を備えた照明装置を示す正面図である。
【図５】図５は、有機ＥＬ発光部を備えた照明装置を示す背面図である。
【図６】図６は、有機ＥＬ発光部を備えた照明装置を示す側面図であり、（Ａ）は右側面図、また（Ｂ）は左側面図を示す。
【図７】図７は、栓刃が組み込まれた接続端子部（コンセント部）を示す図である。
【図８】図８は、栓刃に設けた波動エネルギー触媒加工部を示す図である。
【図９】図９は、有機ＥＬ発光部を備えた照明装置を前方から見た斜視図である。
【図１０】図１０は、有機ＥＬ発光部を備えた照明装置を後方から見た斜視図である。
【図１１】図１１は、有機ＥＬ発光部を上方に回動した状態を示す側面図である。
【図１２】図１２は、有機ＥＬ発光部を下方に回動した状態を示す側面図である。
【図１３】図１３は、ノイズ消去装置の例を示す説明図である。
【図１４】図１４は、図１３（Ａ）のＡ−Ａ線に沿う断面図である。
【図１５】図１５は、ノイズ消去装置の効果を確認するための実験装置を示す説明図である。
【図１６】図１６は、図１５の実験装置を用いて実測した交流波形を示している。
【発明を実施するための形態】
【００１８】  本発明に係る照明装置は、発光部１と該発光部に接続された制御部２と該制御部２に接続された接続端子部（コンセント部）３とよりなる照明装置であって、発光部から発する光の次元を高めるための波動エネルギー触媒加工部を設けたものである。
そして、その波動エネルギー触媒加工部を設けるける部分は、図１に示すように接続端子部（コンセント部）とするか、又は、図２に示すように制御部とする。
以下、本発明を実施するための形態を図面に基づいて説明する。
次に示す実施形態１は、前者の接続端子部（コンセント部）３に波動エネルギー触媒加工部Ｋを設けた場合の例である。
【００１９】（実施形態１）
この照明装置Ａは、発光部１として有機ＥＬの素子を配設した有機ＥＬ発光部を採用したもので、有機ＥＬ発光部と該有機ＥＬ発光部に接続された制御部２と該制御部２に接続された接続端子部（コンセント部）３とよりなる。
【００２０】  図３は、この有機ＥＬ発光部を備えたハンディな照明装置の斜視図である。
また、図４は、この有機ＥＬ発光部を備えた照明装置の正面図であり、図５は背面図であり、図６は側面図である。
【００２１】  この照明装置は、有機ＥＬ発光部１を有する６角形の基部１Ａと該６角形の基部から下方に伸びる棒状のグリップ部１Ｂを備えている。
使用者はこのグリップ部１Ｂを握り、例えば、有機ＥＬ発光部から発する光により、顔や身体を照明することができる。
６角形の基部には正方形の有機ＥＬ発光部１が設けられている。
【００２２】  有機ＥＬ発光部１には、制御部２が接続されており、また、該制御部２に接続された接続端子部（コンセント部）３が伸びている。
制御部２は、交流を直流に変更するＡＤ−ＤＣコンバータ、明るさ調整具等が設けられており、有機ＥＬ発光部に対して消灯、照度等を調整用摘み部２Ａを動かして調整することができる。
接続端子部（コンセント部）３には、波動エネルギー触媒加工部Ｋが設けられており、有機ＥＬ発光部から発する光の次元を高めることができる。
【００２３】  ここで、接続端子部（コンセント部）３に設ける波動エネルギー触媒加工部Ｋの一例について述べる。
【００２４】  図７に示す、接続端子部（コンセント部）３は、ボデー部材３１とカバー部材３２の中に栓刃３３が組み込まれており、この栓刃３３に波動エネルギー触媒加工部Ｋが設けられている。
【００２５】  図８に示すように、ここでの波動エネルギー触媒加工部Ｋは、具体的には、栓刃３３に波動エネルギー触媒物質Ｋ１が一定量、塗布形成されることにより構成されている。
波動エネルギー触媒物質Ｋ１としては、合成樹脂に各種の無機質粉末を加えたものが採用される。
【００２６】  合成樹脂としては、例えば無機質粉末（専用特殊粉末）を練り込み易いもの、例えば、ポリアクリル樹脂、ポリウレタン樹脂等が採用される。
無機質粉末として、トルマリン粉末、蛇紋石粉末、貴宝石粉末、アモルファス粉、チタン粉末、ラピスラズリー粉末があり、それらから選ばれた１つ以上を含むものが採用される。
【００２７】  ここで、無機質粉末は、その成分として、トルマリンが３０〜５０重量％、貴宝石（いわゆる「石英斑岩」）が３０〜５０重量％、チタンが５〜１０重量％、ラピスラズリーが５〜１０重量％含まれた材料を、焼成し粉末化して得られることが好ましい。
なお、トルマリン（別名「電気石」）は、珪酸塩鉱物であり、遠赤外線やマイナスイオンを発生する。
【００２８】  貴宝石は、その遠赤外線放出量やマイナスイオン発生量はトルマリンより大きい。
ラピスラズリーは、主成分がラズライト、ソーダライト、アウイン、ノゼアンからなる材料であり、その化学式はＮａ８−１０Ａｌ６Ｓｉ６Ｏ２４Ｓ２，Ｎａ８Ａｌ６Ｓｉ６Ｏ２４Ｃｌ２，（Ｎａ，Ｃａ）６−８Ａｌ６Ｓｉ６Ｏ２４（ＳＯ４）１−２，Ｎａ８Ａｌ６Ｓｉ６Ｏ２４ＳＯ４で表わされる。
【００２９】  上述したように、接続端子部（コンセント部）３がこの波動エネルギー触媒物質Ｋ１を有することにより、接続端子部（コンセント部）３に接続された照明装置のノイズが低減され波動エネルギーが高まってくる。
その結果、有機ＥＬ発光部から発する光の次元を高めることができる。
【００３０】  そして、上述したように、次元の高い光を得られることにより、本発明の照明装置から発せられる光は、人体に対する生理的作用に好影響を与え、また、リラクゼーション効果をもたらす。
例えば、図３に示すような照明装置において、下方に伸びるグリップ部１Ｂを握って操作することにより、有機ＥＬ発光部の顔面に対する光の照射角度を最適にすることができ、顔面の生理的作用に好影響を与えることができる。
【００３１】  また波動エネルギー触媒物質Ｋ１は、栓刃３３を流れる商用交流電力よって発生する極低周波数波（例えば５０Ｈｚや６０Ｈｚ）の電磁波による障害を極力、排除することができる。
【００３２】  例えば波動エネルギー触媒加工部は、後述するように電磁波を整形してノイズを極力カットする働きがあり、いわば、人体に有害な電磁波の発生を抑制することが可能である。
更にいうならば、照明装置において、波動エネルギーの高まった波動の光を放出し、この光を生命体に照射すると種々の作用を発揮することができる。
例えば光により抗菌性を向上させることができ、このことは別途黄色ブドウ菌を使った照射実験で確かめている。
また、本発明の照明装置の光を受けた場合、通常よりα波が増加するが、このことは脳波測定実験により確かめている。
また米等の植物が本発明の照明装置の光を受けた場合、成長が促進される知見を得ており、このことが種子に光を照射する実験から確かめている。
更にまた、生体ストレスが低減すること、及び、生体の抗酸が低減することは、唾液を使った照射実験から確かめている。
このように、本発明の照明装置から発せられる光は、人体に対する生理的作用に好影響を与え、また、リラクゼーション効果をもたらす。
【００３３】（実施形態２）
次に示す実施形態２は、制御部２に波動エネルギー触媒加工部Ｋを設けた場合の例である。
この照明装置も、発光部１として有機ＥＬ発光部を採用したもので、有機ＥＬ発光部と該有機ＥＬ発光部に接続された制御部２と該制御部２に接続された接続端子部（コンセント部）３とよりなる。
【００３４】  図９は、有機ＥＬ発光部を備えた照明装置の前方から見た斜視図である。
また、図１０は、有機ＥＬ発光部を備えた照明装置を後方から見た斜視図である。
図１１は、有機ＥＬ発光部を上方に回動した状態を示す側面図である。
また図１２は、有機ＥＬ発光部を下方に回動した状態を示す側面図である。
【００３５】  この照明装置Ａは、一定厚みを有する矩形の回動基板部１Ｃとそれを支える基台部１Ｄとよりなる。
回動基板部１Ｃには、矩形の有機ＥＬ発光部１が設けられ、また基台部１Ｄには有機ＥＬ発光部に接続された制御部２が設けられている。
制御部２には、接続端子部（ジャック部）Ｊが接続されている。
【００３６】  基台部１Ｄは両端に上方に伸びる一対の支持柱１Ｄ１を有しており、該支持柱１Ｄ１の間に回動基板部１Ｃが支軸Ｐにより回動自在に取り付けられている。
【００３７】  また基台部１Ｄの一対の支持柱間には一本の停止棒Ｓが取り付けられている。
停止棒Ｓの取り付けられる位置は、側面図でいうと回動基板部１Ｃの支軸Ｐより斜め下後方に、一定距離、離れた位置である。
従って、回動基板部１Ｃを後方に倒し有機ＥＬ発光部１が上方に向くように回動させると、停止棒Ｓに発光部１の裏側の一部が当接して停止する。
前方に顔を置いた場合にカバーできる適切な領域を確保する観点から、停止する位置は回動基板部１Ｃがほぼ水平になる状態の位置が好ましい。
すなわち最大限、後方に倒しても、回動基板部１Ｃに停止棒Ｓが当たって水平位置に収まるようにする。
また逆に、回動基板部１Ｃを下方に向くように前方に回動させると、同様に停止棒Ｓに回動基板部の裏側の一部が当接して停止する。
これも前方に顔を置いた場合にカバーできる適切な領域を確保する観点から、停止する位置は回動基板部１Ｃがやや下方に傾く状態の位置が好ましい。
【００３８】  このように発光部１の前後の回動角度範囲が、単に１本の停止棒Ｓを設けたことにより規定できるので回動制限する構造がシンプルとなる。
また制御部２は、実施の形態１のように、ＡＤ−ＤＣコンバータ、明るさ調整具等が設けられており調整用摘み部２Ａを動かして調整する。
以上述べた有機ＥＬ発光部を備えた照明装置は、比較的小型で卓上で使用できるので極めて有用である。
【００３９】  制御部２に設けられている波動エネルギー触媒加工部Ｋとしては、ここではノイズ消去装置Ｋ２が使用されている。
以下このノイズ消去装置Ｋ２について述べる。
【００４０】  図１３は、制御部１に備わっているノイズ低減用のノイズ消去装置（例えば通電回路に介在されている）Ｋ２の例を示している。
図１４は、図１３（Ａ）のＡ−Ａ線に沿う断面図である。
この図１３（Ａ）のノイズ消去装置１２は、螺旋溝１３ａが形成された第一導体１３を有しており、螺旋形成導体装置とされている。
【００４１】  第一導体１３の外側には、第一導体１３と導通しないようにコイル状の第二導体１４が巻回されている。
この第二導体１４の巻回方向は、螺旋溝１３ａと反対回りに形成され、螺旋溝１３ａと噛み合わない状態にされている。
【００４２】  第二導体１４の外側には、円筒状金属シート１５が設けられている。
もっとも、この円筒状金属シート１５は、第二導体１４に紙片（和紙等が好適）を巻き付けた上に設けることが好ましい。
【００４３】  この円筒状金属シート１５は、第二導体１４の外周を覆うようにされており、その材料としては、例えばアルミニウムが用いられるが、より好ましくは、アモルファス金属が採用される。
円筒状金属シート１５の外側には、被覆部材１６が設けられている。
【００４４】  被覆部材１６の材料としては、実施形態１で述べたように、例えば合成樹脂に無機質粉末を加えたものが採用され、具体的には、合成樹脂として、無機質粉末（専用特殊粉末）を練り込み易いもの、例えば、ポリアクリル樹脂、ポリウレタン樹脂等が採用される。
また、無機質粉末（専用特殊粉末）についても実施例１に示したような粉末が採用される。
【００４５】  被覆部材１６は、少なくとも内包した第一導体１３、第二導体１４、及び円筒状金属シート１５を保護する役割を果たしている。
円筒状金属シート１５と第一導体１３との間隙には、被覆部材１６と同一材料の充填部材１７が充填されている。
【００４６】  この充填部材１７は、第一導体１３と第二導体１４と円筒状金属シート１５とが相互に確実に導通しないようにする役割や固定化の役割を果たしている。
第一導体１３と第二導体１４とは電気的に並列に配置されている。
なお、ノイズ消去装置１２の両端には制御部２に組み込むことができるように、他の配線と接続するための接続点Ｓ１，Ｓ２を設けた。
ところで、以上説明したノイズ消去装置１２の他に、図１３（Ｂ）にその変形例を示した。
この変形例は、第一導体１３が互いに交差する反対方向の２本の螺旋溝１３ａを有するものであり、その他の構造は図１３（Ａ）に示すノイズ消去装置と同じである。
【００４７】  ここで、波動エネルギー触媒加工部Ｋの一態様であるノイズ消去装置１２についての効果を見た。
【００４８】  図１５は、ノイズ消去装置１２の効果を確認するために行った実験装置を示している。
この実験装置では、図１３（Ａ）に示すような２つのノイズ消去装置１２が相互に平行に配置されている。
【００４９】  なお、このノイズ消去装置１２は、この装置がない状態の実験結果と比較する必要があるため、容易に取外し可能に設けられている。
ノイズ消去装置１２の一端には商用交流（１００Ｖ）を入力することとし、その出力側に負荷としてドライヤ２２を接続した。
ドライヤ２２は、ＩＺＵＭＩ製造、定格１００Ｖ、１２００Ｗ、５０〜６０Ｈｚ仕様である。
【００５０】  ノイズ消去３装置１２の一端の交流入力と他端の交流出力とを二現象オシロスコープ２３（ＳＳ−５７０２ＤＣ〜２０Ｍ１Ｈｚ規格）を接続して波形を観測した。
その結果、本発明のノイズ消去装置１２の場合は、交流波形のノイズ成分が効果的に除去されているものであった。
【００５１】  図１６は、図１５の実験装置を用いて実測した交流波形を示している（なお、ここでの波１６（Ａ）は、ノイズ消去装置１２を取り付けないで測定した波形であり、図１６（Ｂ）は、ノイズ消去装置１２を取り付けて測定した波形を示している。
【００５２】  これらの波形を比較すると、波動エネルギー触媒加工部Ｋであるノイズ消去装置１２を設けたことでノイズ成分が効果的に除去されることが分かる。
このことにより次元の高い光を得られること、また種々の作用を発揮することは、前述したとおりである。
以上、本発明を説明してきたが、本発明は上述した一実施形態に拘束されることなく種々の変形が可能である。
例えば、波動エネルギー触媒加工部、すなわち波動エネルギー触媒物質は、接続端子部から延長された一部である導通回路に設けることも可能である。
また、発光部としては、蛍光灯、白熱電球等にも当然採用可能である。
また、照明装置として、制御部を備えず発光部から直接、接続端子部（コンセント部）が接続されているものも採用可能であるが、この場合は、必ず、接続端子部（コンセント部）に波動エネルギー触媒加工部を設けることとなる。
【産業上の利用可能性】
【００５３】  本発明の照明装置は、光の次元を高めるための波動エネルギー触媒加工部を設けたので、照明装置の電流ノイズの発生が防止されて波長も整えられ、結果的に発生エネルギーの高度化が図れるもので、この原理を適用できるものであれば、種々の光を放つ機器、装置に広く利用できるものである。
【符号の説明】
【００５４】１…発光部
１Ａ…基部
１Ｂ…グリップ部
１Ｃ…回動基板部
１Ｄ…基台部
１Ｄ１…支持柱
２…制御部
２Ａ…調整用摘み部
３…接続端子部（コンセント部）
３１…ボデー部材
３２…カバー部材
３３…栓刃
１２…ノイズ消去装置
１３…第一導体
１３ａ…螺旋溝
１４…第二導体
１５…円筒状金属シート
１６…被覆部材
１７…充填部材
２２…ドライヤ
２３…オシロスコープ
Ａ…照明装置
Ｊ…ジャック部
Ｋ…波動エネルギー触媒加工部
Ｋ１…波動エネルギー触媒物質
Ｋ２…ノイズ消去装置
Ｐ…支軸
Ｓ１，Ｓ２…接続点
【図１】
2014225451.tif 000003
【図２】
2014225451.tif 000004
【図３】
2014225451.tif 000005
【図４】
2014225451.tif 000006
【図５】
2014225451.tif 000007
【図６】
2014225451.tif 000008
【図７】
2014225451.tif 000009
【図８】
2014225451.tif 000010
【図９】
2014225451.tif 000011
【図１０】
2014225451.tif 000012
【図１１】
2014225451.tif 000013
【図１２】
2014225451.tif 000014
【図１３】
2014225451.tif 000015
【図１４】
2014225451.tif 000016
【図１５】
2014225451.tif 000017
【図１６】
2014225451.tif 000018